(57)【要約】  【課題】外観デザインに優れた、軽い力で開扉できるハンドルを備えた冷蔵庫を提供する。  【解決手段】引出し式扉１１の外板１３に手動で作動する取っ手部材２２と、この取っ手部材２２と連動して開口フランジ３２に当接押圧するレバー３０を備えたハンドル１９を設け、取っ手部材２２は外板１３の端面１３ａから離間した位置に配設されることで、ハンドル１９と扉上端部の間に外板１３が介在する事が可能になり、外板１３が隣接する扉間で連続したように見せる事ができるため、冷蔵庫全体を見たとき各扉の連続性を強調し、扉の一体感のある外観意匠を提供する事ができる。【選択図】図３
2005345059.tif 000002
【特許請求の範囲】
【請求項１】
貯蔵室の前面開口部に設けた引出し式扉に、可動式のハンドルとレバーにより扉の開扉力を低減する開扉力低減機構を備え、前記ハンドル部材は前記扉の外板に設けた貫通孔に設置し、前記扉の上端面から離間した位置に配設されていることを特徴とする冷蔵庫。
【請求項２】
引出し式扉は、上下を折り曲げた外板とその側面に配置したキャップと内板により構成される空間に発泡断熱材を充填する事で構成される請求項１に記載の冷蔵庫。
【請求項３】
引出し式扉は、左右を折り曲げた外板とその側面に配置したキャップと内板により構成される空間に発泡断熱材を充填する事で構成される請求項１に記載の冷蔵庫。
【請求項４】
引出し式扉は、上下左右壁を一体形成した外板と内板により構成される空間に発泡断熱材を充填する事で構成される請求項１に記載の冷蔵庫。
【請求項５】
ハンドル部材の回転軸となるシャフトは、ハンドルの取っ手部より外側で外板の端面よりに配置されることを特徴とする請求項１から５いずれか一項に記載の冷蔵庫。
【請求項６】
レバーを取っ手部材の取っ手の方向に折曲させて取付けたことを特徴とする請求項１から５いずれか一項に記載の冷蔵庫。
【請求項７】
レバーは、扉の外板の端面と扉の内板との間に備えられた出口孔から突出した状態の時に着脱できることを特徴とする請求項１から５いずれか一項に記載の冷蔵庫。
【発明の詳細な説明】
【技術分野】
【０００１】
本発明は、開扉力低減機構を備えたハンドルを有する冷蔵庫に関するものである。
【背景技術】
【０００２】
従来、この種の冷蔵庫の引出し式扉は、扉の上端部に設けられたキャップに開扉力低減機構を備えたハンドルが組み込まれている（例えば、特許文献１参照）。
【０００３】
図６は、特許文献１に記載された従来の冷蔵庫の引出し式扉の正面図を示すものである。図７は、上記引出し式扉の縦断面図を示すものである。
【０００４】
図６において、１は貯蔵室の前面開口部に設けた引出し式扉本体であり、２は前記扉の前面を構成する外板、３、４は前記外板の上下側面を構成する扉キャップ、５は前記扉キャップに組み込まれた手動式で回動する取っ手部材を備えたハンドルである。
【０００５】
図７において、６は扉の裏面を構成する内板、７は前記取っ手部材の回動により突出し前記貯蔵室の開口フランジ８に当接するレバーである。このレバーが開口フランジ８を押すことで、少ない力で扉を開放することができる。
【特許文献１】特開２００１−５０６４５号公報
【発明の開示】
【発明が解決しようとする課題】
【０００６】
しかしながら、上記従来の構成は、回動する取っ手部材及びレバーなどから構成される開扉力低減機構が扉キャップに組み込まれており、外観意匠を考えたとき、この開扉力低減機構を有するハンドルを扉キャップから分離させる事ができないなど、ハンドルレイアウトの自由度が乏しかった。
【０００７】
本発明は上記従来の課題を解決するもので、上記開扉力低減機構を有するハンドルの自由なレイアウトを可能にすることで、少ない力で扉を開けることができるという使い勝手を維持しながら斬新な外観意匠の冷蔵庫を提供することを目的とする。
【課題を解決するための手段】
【０００８】
上記従来の課題を解決するために、本発明の冷蔵庫の引出し式扉は、回動する取っ手部材とレバーなどから構成される開扉力低減機構を扉キャップと別体構造とし、前記開扉力低減機構を有するハンドルは前記扉の外板に設けた貫通孔に設置し前記扉の上端面から離間した位置に配設可能としたものである。
【発明の効果】
【０００９】
本発明の冷蔵庫は、ハンドルと扉上端部の間に外板が介在する事が可能になり、外板が隣接する扉間で連続したように見せる事ができるため、冷蔵庫全体を見たとき各扉の連続性を強調し、扉の一体感のある外観意匠を提供する事ができる。
【発明を実施するための最良の形態】
【００１０】
請求項１に記載の発明は、貯蔵室の前面開口部に設けた引出し式扉に、回動する取っ手部材とレバーにより扉の開扉力を低減する開扉力低減機構を備え、前記開扉力低減機構を有するハンドルは前記扉の外板に設けた貫通孔に設置し前記扉の上端面から離間した位置に配設することにより、ハンドルと扉上端部の間に外板が介在する事が可能になり、外板が上下の扉間で連続したように見せる事ができるため、冷蔵庫全体を見たとき各扉の連続性を強調し、扉の一体感のある外観意匠を提供する事ができる。
【００１１】
請求項２に記載の発明は、請求項１の発明において、貯蔵室の前面開口部に設けた引出し式扉は、上下を折り曲げた外板とその側面に配置したキャップと内板に囲まれる空間に発泡断熱材を充填する事で構成されることにより、隣接する引出し式扉の間に扉キャップが介在しないため、冷蔵庫全体を見たとき各扉の連続性を強調し、扉の一体感のある外観意匠を提供する事ができる。
【００１２】
請求項３に記載の発明は、請求項１の発明において、貯蔵室の前面開口部に設けた引出し式扉は、左右を折り曲げた外板とその側面に配置したキャップと内板に囲まれる空間に発泡断熱材を充填する事で構成されることにより、隣接する引出し式扉の間にキャップが介在はするが、ハンドルと扉上端部の間に外板が介在する事が可能になり、冷蔵庫全体を見たとき各扉の連続性を強調し、扉の一体感のある外観意匠を提供する事ができる。
【００１３】
請求項４に記載の発明は、請求項１の発明において、貯蔵室の前面開口部に設けた引出し式扉は、上下左右壁を一体形成した外板と内板により囲まれる空間に発泡断熱材を充填する事で構成されることにより、隣接した引出し式扉の間だけでなく冷蔵庫前面から目視した際に扉キャップが存在しないため、冷蔵庫全体を見たとき各扉の連続性を強調し、扉の一体感のある外観意匠を提供する事ができる。
【００１４】
請求項５に記載の発明は、請求項１から４いずれかの発明において、取っ手部材の回転軸となるシャフトは手をかける取っ手部の外側で外板の端面よりに配置されるので、扉開時にレバーを大きい力をかけることなくスムーズに連動させ、小さい力を加えるだけで楽に扉を開くことができる。
【００１５】
請求項６に記載の発明は、請求項１から４のいずれかの発明において、レバーを取っ手部材の取っ手の方向に折曲させて取付けたので、取っ手の回動当接時にレバーが外側に逃げる挙動があっても貯蔵室の開口フランジに正しく当接できる。
【００１６】
請求項７に記載の発明は、請求項１から４のいずれかの発明において、レバーは扉の外板の端面と扉の内板との間に備えられた出口孔から突出した状態の時に着脱できるので、サービス時に取っ手部材等を外すことなくレバーのみを交換することができ、サービス性がよい。
【００１７】
以下、本発明の実施の形態について、図面を参照しながら説明する。なお、この実施の形態によってこの発明が限定されるものではない。
【００１８】
（実施の形態１）
図１は、本発明の実施の形態１による冷蔵庫の正面図である。図２は、ハンドルの分解図。図３は、図１のＡ−Ａ断面図である。
【００１９】
図１において、９は冷蔵庫本体で、１０がヒンジ式扉、１１、１２が引出し式扉、１３、１４、は前記引出し式扉の前面を構成する上下を折り曲げた外板、１５、１６、１７、１８は前記引出し式扉の扉キャップ、１９、２０は回動する取っ手部材を備えたハンドルである。ここで、ハンドル１９、２０の構成は同じである。
【００２０】
次に図２、３においてハンドル１９の構成および動作について説明する。
【００２１】
１３は扉１１を形成する塗装鋼鈑製の外板である。２１は外板１３に開口された貫通孔であり外板１３の端面１３ａから独立した位置に開口されている。製造工程上、断熱材の発泡前に取っ手部材２２の基部２３を、外板１３の裏面から貫通孔２１に嵌め込む。そして基部２３と外板１３のフランジ部２４とを挟持させる挟持部材２５が外板１３の裏面側から取付けられる。そしてこの様な状態の外板１３と内板２６の間に発泡断熱材２７を充填し一体発泡される。そして挟持部材２５によって基部２３と外板１３とを強固に保持することができる。発泡後、シャフト２８をスプリング２９に通して取っ手部材２２に取付ける。レバー３０は平板状に成形されており、取っ手部材２２のレバー受け部２２ａに係合し外板１３の端面１３ａ近傍に備えられる。その後、化粧版３１を基部２３と取っ手部材２２の間に挿入固定させて、取っ手部材２２のガタツキがないように固定する。
【００２２】
以上のように構成された冷蔵室の扉について、以下その動作を説明する。
【００２３】
図３において、取っ手部材２２を手前に引っ張ることでシャフト２８を回転軸として取っ手部材２２が回動し、レバー３０がレバー受け部２２ａに押されて突出し冷蔵庫本体９の開口フランジ３２を押すことで、扉１１に備えられたガスケット３３は前記開口フランジ３２から離脱する。
【００２４】
離脱後、手を離せば取っ手部材２２はシャフト２８に巻き付けられたスプリング２９の反撥力によって元の状態に戻るので、レバー３０は扉１１内に収納される。
【００２５】
また、レバー３０は取っ手部材２２の方向、即ち内側に折曲された形状に取付けられているため、取っ手部材２２を操作して回動しながらレバー３０の根元を押したとき、外向きのモーメントによりレバー３０が外側に逃げても開口フランジ３２の適切な位置を押圧することができ、開口フランジ３２の端部から外れることがない。
【００２６】
また、レバー３０は出口孔２３ａから突出させた状態において、外から力を加えると引き抜くことができるので、レバー３０の交換のみであればサービス性がよい。
【００２７】
以上のように、本実施形態においては、開扉力低減機構を有するハンドルを扉キャップ１５、１６と別体としかつ、上下を折り曲げた外板１３の端面１３ａから離間させることができる。このハンドルと扉上端部の間に介在する外板が、隣接する扉を連続したように見せるため、冷蔵庫全体を見たとき各扉の連続性を強調することができる。これより、少ない力で扉を開けることができるという使い勝手を維持しながら、扉の一体感のある外観意匠の冷蔵庫を提供する事ができる。
【００２８】
（実施の形態２）
図４は、本発明の実施の形態２による冷蔵庫の正面図である。
【００２９】
図４において、９は冷蔵庫本体で、１０がヒンジ式扉、３４、３５が引出し式扉、３６、３７は前記引出し式扉の前面を構成する左右を折り曲げた外板、３８、３９、４０、４１は前記引出し式扉の扉キャップ、１９、２０は回動する取っ手部材を備えたハンドルである。ここで、ハンドル１９、２０の構成は同じである。
【００３０】
ハンドル１９の構成および動作については、本発明の実施の形態１と同じである。
【００３１】
以上のように、本実施形態においては、開扉力低減機構を有するハンドル１９を扉キャップ３８と別体としかつ、離間させることができる。このハンドルとキャップ３８の間に介在する外板が、隣接する扉を連続したように見せるため、冷蔵庫全体を見たとき各扉の連続性を強調することができる。これより、少ない力で扉を開けることができるという使い勝手を維持しながら、扉の一体感のある外観意匠の冷蔵庫を提供する事ができる。
【００３２】
（実施の形態３）
図５は、本発明の実施の形態２による冷蔵庫の正面図である。
【００３３】
図５において、９は冷蔵庫本体で、１０がヒンジ式扉、４２、４３が引出し式扉、４４、４５は前記引出し式扉の前面を構成する上下左右壁を一体形成した外板、１９、２０は回動する取っ手部材を備えたハンドルである。ここで、ハンドル１９、２０の構成は同じである。
【００３４】
ハンドル１９の構成および動作については、本発明の実施の形態１と同じである。
【００３５】
以上のように、本実施形態においては、開扉力低減機構を有するハンドル１９を独立構造体としかつ、扉上端部より離間させることができる。隣接した引出し式扉の間だけでなく冷蔵庫前面から目視した際に扉キャップが存在しないため、冷蔵庫全体を見たとき各扉の連続性を強調することができる。これより、少ない力で扉を開けることができるという使い勝手を維持しながら、扉の一体感のある外観意匠の冷蔵庫を提供する事ができる。
【産業上の利用可能性】
【００３６】
以上のように、本発明にかかる冷蔵庫は、開扉力低減機構を有しながら、隣接する扉間を連続したように見せる事ができるため、冷蔵庫全体を見たとき各扉の連続性を強調し、扉の一体感のある外観意匠を提供する事ができるため、可動式ハンドルを備えた扉を有する構造体にも適用できる。
【図面の簡単な説明】
【００３７】
【図１】本発明の実施の形態１による冷蔵庫の正面図
【図２】同実施の形態による冷蔵庫の扉のハンドルの分解図
【図３】図１のＡ−Ａ線断面図
【図４】本発明の実施の形態２による冷蔵庫の正面図
【図５】本発明の実施の形態３による冷蔵庫の正面図
【図６】従来の冷蔵庫の引出し式扉の正面図
【図７】従来の冷蔵庫の要部断面図
【符号の説明】
【００３８】
９    冷蔵庫本体
１１、３４、４２  引出し式扉
１３、３６、４４  外板
１３ａ  端面
１５、１６、３８、３９  扉キャップ
１９  ハンドル
２１  貫通孔
２２  取っ手部材
２３ａ  出口孔
２６  内板
２７  断熱材
２８  シャフト
３０  レバー
【図１】
2005345059.tif 000003
【図２】
2005345059.tif 000004
【図３】
2005345059.tif 000005
【図４】
2005345059.tif 000006
【図５】
2005345059.tif 000007
【図６】
2005345059.tif 000008
【図７】
2005345059.tif 000009